(57)【要約】      （修正有）【課題】多機能ブランケットを提供する。【解決手段】内部キャビティを有する円形ブランケットを含み、ブランケットは、輪郭形状が同じである第１のブランケット層１と第２のブランケット層２とを含み、第１のブランケット層１と第２のブランケット層２との辺縁はファスナーにより着脱可能に接続し、第２のブランケット層２の外側面の中間部には、矩形状の収納袋が縫い付けられ、第１のブランケット層１の外側面と第２のブランケット層２の外側面には、それぞれ第１のスナップボタン４と第２のスナップボタン５とが設置され、第１のスナップボタン４が第２のスナップボタン５に結合することができ、第２のスナップボタン５が収納袋の右上に位置し、第１のスナップボタン４が収納袋の左上に位置している。本考案の多機能ブランケットは様々な機能を有し、季節を問わず快適に使用できる。【選択図】図３
0003209351.tif 000002
【実用新案登録請求の範囲】
【請求項１】
多機能ブランケットであって、内部キャビティを有する円形のブランケットを含み、前記ブランケットは、輪郭形状が同じである第１のブランケット層（１）と第２のブランケット層（２）とを含み、
前記第１のブランケット層（１）と前記第２のブランケット層（２）との辺縁は、ファスナーにより着脱可能に接続し、前記第２のブランケット層（２）の外側面の中間部には、矩形状の収納袋（３）が縫い付けられ、
前記第１のブランケット層（１）の外側面と前記第２のブランケット層（２）の外側面には、それぞれ、第１のスナップボタン（４）と第２のスナップボタン（５）とが設置され、前記第１のスナップボタン（４）は、前記第２のスナップボタン（５）に結合することができ、前記第２のスナップボタン（５）は前記収納袋（３）の右上に位置し、前記第１のスナップボタン（４）は前記収納袋（３）の左上に位置していることを特徴とする多機能ブランケット。
【請求項２】
前記収納袋（３）は、矩形状の第１の収納面層（７）と矩形状の第２の収納面層（８）とを含み、
前記第１の収納面層（７）の辺縁と前記第２のブランケット層（２）の外側面とは縫い付けられ、前記第２の収納面層（８）の一辺と前記第１の収納面層の一辺とは縫い付けられ、前記第２の収納面層（８）の自由辺と前記第１の収納面層（７）の自由辺とは一対一に対応して、かつファスナーにより接続されることを特徴とする請求項１に記載の多機能ブランケット。
【請求項３】
前記第１のブランケット層（１）の外側面には、雨よけキャップ（６）が設けられ、前記雨よけキャップ（６）の一側辺縁と前記第１のブランケット層（１）の頂部の一部辺縁とが重なり合って縫い付けられていることを特徴とする請求項２に記載の多機能ブランケット。
【請求項４】
前記第１のブランケット層（１）の外側面の両側に相対してそれぞれ、左、右手を入れる手袋（９）が縫い付けられていることを特徴とする請求項３に記載の多機能ブランケット。
【請求項５】
前記第１のブランケット層（１）の外側面には、足を入れる足袋（１０）が縫い付けられていることを特徴とする請求項４に記載の多機能ブランケット。
【請求項６】
前記第１のブランケット層（１）と前記第２のブランケット層（２）とは、共にコットンの織物であることを特徴とする請求項５に記載の多機能ブランケット。
【請求項７】
前記第１のブランケット層（１）と前記第２のブランケット層（２）とは、共に極細ポリエステル繊維材料であることを特徴とする請求項５に記載の多機能ブランケット。
【請求項８】
前記第１のブランケット層（１）と前記第２のブランケット層（２）の外側面とは、共に編み生地であることを特徴とする請求項６または７に記載の多機能ブランケット。
【請求項９】
前記第１のブランケット層（１）と前記第２のブランケット層（２）の辺縁とは、いずれも縁布が縫い付けられていることを特徴とする請求項８に記載の多機能ブランケット。
【請求項１０】
前記縁布にはふさ飾り（１１）が縫い付けられていることを特徴とする請求項９に記載の多機能ブランケット。
【考案の詳細な説明】
【技術分野】
【０００１】
本案はブランケットに関し、具体的には、多機能ブランケットに関する。
【背景技術】
【０００２】
市場ではクッション、ケープ、テレビブランケット及び昼寝用毛布は、その機能が単一である。家庭生活においては、それぞれの品物を一つずつ購入しければならない。そのため、それらの品物が生活空間を占め、かつ収納しにくいと共に、アウトドアのレジャーや旅行をする際、携帯しようと思うと負担になる。さらに、これらの品物を収納する時には、複数の収納袋を購買して品物ごとに収納して整理する必要がある。そのため、支出が増加するだけでなく、複数の収納袋を片付けるのが面倒な上、遺失しやすく、使用者に大変な手数をかけてしまう。現在、収納機能を有するブランケットは、通常、収納された後に、１つのクッションのみとして使用される。一般的にブランケットは春か秋のみに使用される薄いブランケットや、秋か冬のみに使用される厚いブランケットに分けられているので、季節ごとに使い分けなければならない。
【考案の概要】
【考案が解決しようとする課題】
【０００３】
そこで、多機能のブランケットで上記問題を解決する必要がある。
本考案は、様々な機能を有し、快適に使用でき、いずれの四季にも適用できる多機能ブランケットを提供することを目的とする。
【課題を解決するための手段】
【０００４】
本考案は、以下の技術案により実現される。多機能ブランケットであって、内部キャビティを有する円形ブランケットを含み、ブランケットは、輪郭形状が同じである第１のブランケット層と第２のブランケット層とを含み、第１のブランケット層と第２のブランケット層との辺縁はファスナーにより着脱可能に接続し、第２のブランケット層の外側面の中間部には、矩形状の収納袋が縫い付けられ、第１のブランケット層の外側面と第２のブランケット層の外側面には、それぞれ第１のスナップボタンと第２のスナップボタンとは設置され、第１のスナップボタンが第２のスナップボタンに結合することができ、第２のスナップボタンが収納袋の右上に位置し、第１のスナップボタンが収納袋の左上に位置している。
【０００５】
第１のブランケット層は、第２のブランケット層と分けて使用することができ、ファスナーにより接続して使用することもできる。かつ、接続された第１のブランケット層と第２のブランケット層との間には、その内側面からなる内部キャビティを有する。夏にはキャビティにはアイスバッグを入れてブランケットを冷やし、冬にはキャビティ内部にキルトなどの保温材料を入れることができる。
【０００６】
第１のブランケット層と第２のブランケット層とは、矩形状の収納袋に収納されて、抱き枕や、腰枕、ヘッドレストになることができる。第２のブランケット層を第１のブランケット層に折り返し、かつ第１のスナップボタンと第２のスナップボタンとを結合し、お互いに結合する第１のスナップボタンと第２のスナップボタンとは、ブランケットを閉ざさせる納まり箇所を形成し、納まり箇所が人々の肩に当たって、ブランケットはケープになっている。
【０００７】
さらに、本考案をよく実現するために、以下のような構造を採用する。収納袋は、矩形状の第１の収納面層と矩形状の第２の収納面層とを含み、第１の収納面層の辺縁と第２のブランケット層の外側面とは縫い付けられ、第２の収納面層の一辺と第１の収納面層の一辺とは縫い付けられ、第２の収納面層の自由辺と第１の収納面層の自由辺とは一対一の対応して、かつファスナーにより接続される。収納袋を使用すると、第１のブランケット層と第２のブランケット層とを、収納袋に整然に収納させることができる。
【０００８】
さらに、本考案をよく実現するために、特に、以下のような構造を採用する。第１のブランケット層の外側面には、雨よけキャップが設けられ、雨よけキャップの一側辺縁と第１のブランケット層の頂部の一部辺縁とが重なり合って縫い付けられる。雨よけキャップが収納袋の上部に位置し、かつ雨よけキャップの上部辺縁と第１のブランケット層とが縫合し、雨よけキャップの下部を上へ折り返して雨よけするためのキャップピークを形成する。
【０００９】
さらに、本考案をよりよく実現するために、特に、以下のような構造を採用する。第１のブランケット層の外側面における、相対的両側には、それぞれ、左、右手を入れるための手袋が縫い付けられされている。
【００１０】
さらに、本考案をよりよく実現するために、、特に、以下のような構造を採用する。第１のブランケット層の外側面には、足を入れるための足袋が縫い付けられている。ブランケットは、夏掛けふとんやテレビブランケットとされる時に、第１のブランケット層を身体にカバーし、冬のような冷たい季節に、足を足袋に入れて保温することができる。
【００１１】
さらに、本考案をよりよく実現するために、特に、以下のような構造を採用する。第１のブランケット層と第２のブランケット層とは、共にコットン100%の織物である。コットン100%の織物は、吸水性がよく、吸湿発熱の機能を有し、保温性がよい。
【００１２】
さらに、本考案をよりよく実現するために、特に、以下のような構造を採用する。第１のブランケット層と第２のブランケット層は、共に極細ポリエステル繊維材料である。
【００１３】
さらに、本考案をよりよく実現するために、特に、以下のような構造を採用する。第１のブランケット層と第２のブランケット層の外側面は、共に編み生地である。編み生地がより流行であり、ケープとしてよりきれいである。
【００１４】
さらに、本考案をよりよく実現するために、特に、以下のような構造を採用する。第１のブランケット層と第２のブランケット層の辺縁には、共に縁布縫い付けられている。縁布は、第１のブランケット層と第２のブランケット層の辺縁をより耐摩耗にさせる。
【００１５】
さらに、本考案をよりよく実現するために、特に、以下のような構造を採用する。縁布にはふさ飾りが縫い付けられされる。ふさ飾りは、ブランケットをより流行的で、美しくさせる。
【考案の効果】
【００１６】
本考案は、既存技術に比べて、以下のようなメリット及び有利な効果を有する。
（１）本考案において、お互いに結合する第１のスナップボタンと第２のスナップボタンとは、ブランケットケープとして使用されることができ、第１のブランケット層と第２のブランケット層とが収納袋に収納されて、抱き枕や、腰枕、ヘッドレストとして使用されることができると共に、様々な機能を有する第１のブランケット層と第２のブランケット層とを分けて使用することができる。
（２）本考案において、手袋と足袋を設けることにより、冷たい時に、手や足をそれぞれ手袋や足袋に入れて保温・防風の作用を発揮し、使用機能を増加し、かつ使用の快適性を向上する。
（３）本考案において、雨よけキャップは、雨降りの日に頭部を遮蔽し、雨遮蔽の機能を増加する。
（４）本考案において、第１のブランケット層と第２のブランケット層との間には、アイスバッグ又はキルトなどを添加することができ、夏と冬に適用する。
【図面の簡単な説明】
【００１７】
本考案の実施例又は既存技術における技術案を明瞭に説明するために、以下、実施例又は既存技術の説明に使用した図面を簡単に説明し、明らかに、以下に説明した図面は、本考案のある実施例のみであり、当業者にとっては、進歩性に値する努力をせずに、これらの図面に基づいて、そのほかの図面が得られる。
【図１】図１は、本発明に係る多機能ブランケットの正面模式図である。
【図２】図２は、本発明に係る多機能ブランケットは収納袋が展開する時の背面模式図である。
【図３】図３は、本発明に係る多機能ブランケットの構成模式図である。
【図４】図４は、本発明に係る多機能ブランケットは収納袋が閉める時の背面示意図である。
【図５】図５は、本発明に係る多機能ブランケットが収納される構成を示す模式図である。
【考案を実施するための形態】
【００１８】
本考案の目的、技術案、メリットをより明確するために、以下、本考案の技術案を詳しく説明する。説明した実施例は、本考案の一部の実施例のみであり、すべての実施例ではない。本考案における実施例に基づいて、当業者が進歩性に値せずに得られたすべての実施形態は、いずれも本考案の保護範囲に含まれる。
【００１９】
（実施例）
多機能ブランケットであって、様々な機能を有し、四季を問わず快適に使用できる。図１、図２、図３、図４及び図５に示すような構造を備える。円形の第１のブランケット層１と円形の第２のブランケット層２を含み、第１のブランケット層１と第２のブランケット層２の辺縁はファスナーにより接続され、第１のブランケット層１と第２のブランケット層２の内側面は、アイスバッグやキルトを収容することができるキャビティを構成する。
【００２０】
第２のブランケット層２の外側面における中間領域には、矩形状の収納袋３が縫い付けられされる。収納袋３は、矩形状の第１の収納面層７と矩形状の第２の収納面層８を含み、第１の収納面層７の辺縁と第２のブランケット層２の外側面とが縫い付けられ、第２の収納面層８の底辺と第１の収納面層の上辺とが縫い付けられ、第２の収納面層８の自由辺と第１の収納面層７の自由辺とが一対一の対応してかつファスナーにより接続される。第１のブランケット層１の外側面のうち収納袋３の上方には雨よけキャップ６が縫い付けられ、雨よけキャップ６の上辺と第１のブランケット層１の頂部の一部の辺縁とが重なり合って縫い付けられる。
【００２１】
第１のブランケット層１の外側面の収納袋３の両側に相対して、それぞれ左、右手を入れるための手袋９が縫い付けられている。第１のブランケット層１の外側面における収納袋３の下方には、足を入れるための足袋１０が縫い付けられている。第１のブランケット層１と第２のブランケット層２の辺縁には、共にそれぞれ折り畳みが縫い付けられ、かつ折り畳みにはふさ飾り１１が縫い付けられている。第１のブランケット層１の外側面と第２のブランケット層２の外側面には、それぞれお互いに結合する第１のスナップボタン４と第２のスナップボタン５が設けられ、第２のスナップボタン５が収納袋３の右上に位置し、第１のスナップボタン４が収納袋の左上に位置している。
【００２２】
第１のブランケット層１と第２のブランケット層２との材料は、共に綿編み生地または極細ポリエステル繊維材料である。
【００２３】
第１のブランケット層は、第２のブランケット層と分けて使用することができ、ファスナーにより接続されて使用することもできる。接続される第１のブランケット層と第２のブランケット層との間には、内部キャビティを有し、キャビティにはアイスバッグを入れてブランケットに降温機能を有させ、夏に降温するのに使用される。または、キャビティ内部にキルトなどの保温材料を入れて、冬に保温するのに使用される。第１のブランケット層と第２のブランケット層とは、矩形状の収納袋に収納されて、抱き枕や、腰枕、ヘッドレストになっている。
【００２４】
第２のブランケット層を第１のブランケット層に折り返し、かつ第１のスナップボタンと第２のスナップボタンとを結合し、お互いに結合する第１のスナップボタンと第２のスナップボタンとは、ブランケットを閉ざさせる納まりを形成し、納まり箇所が人々の肩に当たって、ブランケットがケープになっている。雨よけキャップの下部を上へ折り返して、雨よけするためのキャップピークを形成し、雨降りの日に頭部を遮蔽する。第１のブランケット層を身体にカバーし、冬のような冷たい季節に、足を足袋に入れて保温することができる。
【００２５】
以上は、本考案の具体的な実施形態であり、本考案の保護範囲は、それに限定されない。当業者は、本考案に開示された技術範囲において、変更や、置換などを容易に行うことができるが、それらは、いずれも本考案の保護範囲に含まれる。そのため、本考案の保護範囲は、請求項の保護範囲を基準とすべきである。
【符号の説明】
【００２６】
１第１のブランケット層    ２  第２のブランケット層    ３  収納袋    ４  第１のスナップボタン    ５  第２のスナップボタン    ７  第１の収納面層    ８  第２の収納面層    ９  手袋    １０  足袋    １１  ふさ飾り
【図１】
0003209351.tif 000003
【図２】
0003209351.tif 000004
【図３】
0003209351.tif 000005
【図４】
0003209351.tif 000006
【図５】
0003209351.tif 000007